(57)【要約】  【課題】薄型化に有利であって低コストなカメラ用羽根駆動装置を提供すること。  【解決手段】合成樹脂製の主地板１の四隅に所定の高さの台部１ｆ，１ｇ，１ｈ，１ｉが形成されていて、それらに軸部１ｊ，１ｋ，１ｍ，１ｎが立設されている。また、主地板１の板面にも軸部１ｐ，１ｑが立設されている。口径板７は、孔７ｆ，７ｇを、軸部１ｐ，１ｑに嵌合させ、孔７ｅを、主地板１を貫通してきているアクチュエータ取り付け用の枠板２の軸部２ｉに嵌合させており、それらの軸部１ｐ，１ｑ，２ｉの先端を熱溶解させ、鍔状に変形させることによって固定されている。口径板７との間に羽根室を構成している補助地板９は、その孔９ｅ，９ｆ，９ｇ，９ｈを、軸部１ｊ，１ｋ，１ｍ，１ｎに嵌合させ、それらの軸部１ｊ，１ｋ，１ｍ，１ｎの先端を熱溶解させ、鍔状に変形させることによって固定されている。【選択図】  図４
2006072174.tif 000002
【特許請求の範囲】
【請求項１】
羽根室側の面に所定の高さを有する少なくとも一つの台部を設けていると共に少なくとも一つの第１軸部を立設しており前記台部にも少なくとも一つの第２軸部を立設している合成樹脂製の主地板と、前記第１軸部に嵌合させる少なくとも一つの孔を有していて該孔を前記第１軸部に嵌合させたあと前記第１軸部の先端を熱溶解させ鍔状にすることによって前記主地板に取り付けられている口径板と、前記第２軸部に嵌合させる孔を有していて該孔を前記第２軸部に嵌合させたあと前記第２軸部の先端を熱溶解させ鍔状にすることによって前記主地板に取り付けられ前記口径板との間に羽根室を構成している補助地板と、前記羽根室内に配置されていて前記主地板に対して往復作動可能に取り付けられており前記口径板に形成された開口部によって規制されている露光開口に進退させられる少なくとも１枚の羽根と、を備えていることを特徴とするカメラ用羽根駆動装置。
【請求項２】
羽根室側の面から所定の高さを有する少なくとも一つの第１台部と該第１台部より高い少なくとも一つの第２台部とを有しており前記第１台部には少なくとも一つの第１軸部を立設し前記第２台部には少なくとも一つの第２軸部を立設している合成樹脂製の主地板と、前記第１軸部に嵌合させる少なくとも一つの孔を有していて該孔を前記第１軸部に嵌合させたあと前記第１軸部の先端を熱溶解させ鍔状にすることによって前記主地板に取り付けられ前記主地板との間に第１羽根室を構成している中間板と、前記第２軸部に嵌合させる孔を有していて該孔を該第２軸部に嵌合させたあと該第２軸部の先端を熱溶解させ鍔状にすることによって前記主地板に取り付けられ前記中間板との間に第２羽根室を構成している補助地板と、前記第１羽根室内に配置されていて前記主地板に対して往復作動可能に取り付けられており前記主地板，中間板，補助地板のいずれかに形成された開口部によって規制されている露光開口に進退させられる少なくとも１枚の第１羽根と、前記第２羽根室内に配置されていて前記主地板に対して往復作動可能に取り付けられており前記露光開口に進退させられる少なくとも１枚の第２羽根と、を備えていることを特徴とするカメラ用羽根駆動装置。
【請求項３】
前記補助地板が、前記第１軸部の先端と対向する領域に、前記補助地板に設けられた前記孔を前記第２軸部に嵌合させたあとでも、前記第１軸部の先端を熱溶解させ鍔状にさせ得るようにするために、所定の大きさの欠損部を有していることを特徴とする請求項１又は２に記載のカメラ用羽根駆動装置。
【請求項４】
前記主地板の前記羽根室側とは反対側に、前記主地板との間に前記各羽根のアクチュエータ室を構成する合成樹脂製の枠板が配置されていて、前記第１軸部と前記第２軸部とのうちの少なくとも一つの軸部が、該枠板に立設されていて前記主地板を貫通している軸部であることを特徴とする請求項１乃至３のいずれかに記載のカメラ用羽根駆動装置。
【請求項５】
前記主地板は、その外周縁に、羽根室側の面から前記第２軸部の先端を熱溶解させて形成した鍔状部までの高さを少なくとも有している壁部を、環状に形成していることを特徴とする請求項１乃至４のいずれかに記載のカメラ用羽根駆動装置。
【発明の詳細な説明】
【技術分野】
【０００１】
本発明は、シャッタ羽根や絞り羽根などをモータで駆動するようにしたカメラ用羽根駆動装置に関する。
【背景技術】
【０００２】
カメラ用シャッタ装置の中には、主に２枚のシャッタ羽根を相反する方向へ同時に往復回転させたり直線的に往復作動させたりして、円形の露光開口を開閉するようにしたものが知られているが、このような構成のシャッタ装置は、銀塩フィルムカメラにもデジタルカメラ（デジタルスチルカメラ，デジタルビデオカメラ，各種情報端末装置用カメラなどの固体撮像素子を用いたカメラ）にも採用されている。そして、特に、最近では、小型の情報端末装置にも組み込み可能なものとして、１枚のシャッタ羽根を往復回転させて露光開口を開閉するようにしたものもある。
【０００３】
また、最近のカメラ用絞り装置の中には、２枚の絞り羽根を、相反する方向へ同時に回転させたり、直線的に作動させたりして、所定の絞り開口規制位置で停止させるようにしたものも知られているが、小型化された普及カメラの場合には、円形の小さい絞り開口部を形成した１枚の絞り羽根を、露光開口に進入させることによって小口径による撮影を行い、退避状態にさせておくことによって大口径による撮影を行うようにしたものが多くなっている。そして、それらの構成の絞り装置は、上記のような種類のシャッタ装置と同様に、銀塩フィルムカメラにもデジタルカメラにも採用されている。
【０００４】
更に、絞り装置と同様に撮影光量を減じるものとして、ＮＤフィルタ装置が知られているが、最近のＮＤフィルタ装置としては、上記の絞り羽根のような円形の開口部（この場合の開口部は、上記の撮影光路用の開口部と略同等の大きさにする場合がある）を形成した羽根部材に、その開口部を覆うようにしてＮＤフィルタ板を取り付けたものをフィルタ羽根とし、上記の絞り羽根と同様にして作動させるようにしたものが一般的である。しかしながら、そのほかにも、ＮＤフィルタ板を羽根の形状にしただけのものをフィルタ羽根としたり、そのような羽根形状のＮＤフィルタ板を上記のような円形の開口部を有する２枚の羽根部材でサンドウィッチし、３枚に重ねた構成のフィルタ羽根としたりしたものも知られている。そして、それらのような構成のフィルタ装置は、上記のシャッタ装置や絞り装置と同様に、銀塩フィルムカメラにもデジタルカメラにも採用することが可能となっている。
【０００５】
また、このようなシャッタ装置などのカメラ用羽根駆動装置の場合、駆動源となるアクチュエータとしては、ステップモータや電磁プランジャを用いることもあるが、最近では、低コストで小型化し易いことから、ムービングマグネット型モータなどと称されている電流制御式のアクチュエータが多く採用されている。このアクチュエータの構成としては、主に固定子の構成の違いから種々のものが知られているが、いずれの構成をしたものであっても、基本的には、径方向に２極（又は４極）に着磁された永久磁石製の回転子が、固定子のコイルに対する通電方向に対応した方向へ、所定の回転角度範囲内でだけ、回転し得るようになっている。
【０００６】
このようなシャッタ装置，絞り装置，フィルタ装置は、夫々の装置を一つのユニットとして製作することもあるが、他の一つ又は二つの装置と共に一つのユニットとして製作することがある。また、シャッタ装置の場合には、開き用のシャッタ羽根と閉じ用のシャッタ羽根とを夫々の駆動源によって個別に作動させるようにすることがある。更に、絞り装置の場合には、円形をした絞り開口部の大きさの異なる複数枚の絞り羽根を夫々の駆動源によって個別に作動させるようにするために、複数の絞り装置を一つのユニットとして製作することがあるし、フィルタ装置の場合には、濃度の異なる複数枚のフィルタ羽根を夫々の駆動源によって個別に作動させるようにするなどのために、複数のフィルタ装置を一つのユニットとして製作することもある。そして、そのような複数の装置を一つのユニットとして製作する場合には、夫々の駆動源によって作動させられる羽根相互の衝突を防ぐために、主地板と補助地板の間を中間板（仕切板などともいう）で仕切り、それらの羽根を別々の羽根室に配置すること（下記の特許文献１参照）が知られている。
【０００７】
また、上記の主地板は、種々の構成部材を取り付けるために、複雑な形状と所定の剛性を要求されることから、最近では、殆どの場合、合成樹脂材料で比較的厚い板部材として製作されている。一方、最近のカメラは、一層薄型化を要求されるようになってきているが、その要求に応えるためには、撮影レンズを羽根部材の作動面に出来るだけ接近させて配置させる必要がある。そこで、主地板に設けられている撮影光路用の開口部を、撮影レンズの一部が進入し得るような大きな開口部とし、その代わりに、露光開口を規制するための開口部を形成した薄い板部材（口径板などと言われている）を、主地板の羽根室側の面に取り付けるようにした羽根駆動装置（下記の特許文献１参照）が知られている。本発明は、主地板と補助地板の間に、そのような中間板や口径板を取り付けた構成の羽根駆動装置に関するものである。
【特許文献１】特開２０００−６００８８号公報
【特許文献２】実開平７−３６１４１号公報
【発明の開示】
【発明が解決しようとする課題】
【０００８】
ところで、特許文献２にも記載されているように、従来、主地板に、口径板と補助地板とを取り付ける場合、それらの３枚の板部材を重合した部位で、ねじによって固定するのが普通であった。ところが、最近では、上記のようなカメラの薄型化に伴い、羽根駆動装置も薄型化が要求され、それらの３枚の板部材を固定した状態での厚さ寸法が、基準寸法に対して高精度に得られることが必要になっているが、そのように３枚の板部材の重合部位で固定する限り、各板部材に定められている許容公差の累積によって、量産上、所望の寸法に合致したものを効率的に製作することが極めて困難であった。また、効率的に製作できるようにするためには、各板部材の厚さ寸法の許容公差を１００分の１ｍｍオーダーまで厳しくしなければならず、そのようにすると、部品加工コストが高くなってしまうという問題点があった。
【０００９】
そのため、それに代わる方策として、口径板の外形を主地板や補助地板よりも小さくして予め主地板に取り付けておき、その主地板と補助地板との重合部位で、２枚の板部材を固定することも試みられたが、その場合には、上記の厚さ寸法を比較的高精度に得ることはできるものの、口径板と補助地板を、主地板に対して別々に取り付ける必要があることから、取り付け用のねじ部品が多く必要になり、コスト高になってしまうという問題点があった。そして、これらの問題点は、主地板と補助地板の間に二つの羽根室を構成するために、中間板を取り付けるようにした羽根駆動装置の場合にも、全く同じことが言える。
【００１０】
本発明は、このような問題点を解決するためになされたものであり、その目的とするところは、特別な取り付け部品を用いなくても、上記の３枚の板部材を、相対的に取り付けることが可能であって、それらの３枚の取り付け状態での厚さ寸法が高精度に得られる構成をした、カメラの薄型化に有利であって低コストなカメラ用羽根駆動装置を提供することである。
【課題を解決するための手段】
【００１１】
上記の目的を達成するために、本発明のカメラ用羽根駆動装置は、羽根室側の面に所定の高さを有する少なくとも一つの台部を設けていると共に少なくとも一つの第１軸部を立設しており前記台部にも少なくとも一つの第２軸部を立設している合成樹脂製の主地板と、前記第１軸部に嵌合させる少なくとも一つの孔を有していて該孔を前記第１軸部に嵌合させたあと前記第１軸部の先端を熱溶解させ鍔状にすることによって前記主地板に取り付けられている口径板と、前記第２軸部に嵌合させる孔を有していて該孔を前記第２軸部に嵌合させたあと前記第２軸部の先端を熱溶解させ鍔状にすることによって前記主地板に取り付けられ前記口径板との間に羽根室を構成している補助地板と、前記羽根室内に配置されていて前記主地板に対して往復作動可能に取り付けられており前記口径板に形成された開口部によって規制されている露光開口に進退させられる少なくとも１枚の羽根と、を備えているようにする。
【００１２】
また、上記の目的を達成するために、本発明のカメラ用羽根駆動装置は、羽根室側の面から所定の高さを有する少なくとも一つの第１台部と該第１台部より高い少なくとも一つの第２台部とを有しており前記第１台部には少なくとも一つの第１軸部を立設し前記第２台部には少なくとも一つの第２軸部を立設している合成樹脂製の主地板と、前記第１軸部に嵌合させる少なくとも一つの孔を有していて該孔を前記第１軸部に嵌合させたあと前記第１軸部の先端を熱溶解させ鍔状にすることによって前記主地板に取り付けられ前記主地板との間に第１羽根室を構成している中間板と、前記第２軸部に嵌合させる孔を有していて該孔を該第２軸部に嵌合させたあと該第２軸部の先端を熱溶解させ鍔状にすることによって前記主地板に取り付けられ前記中間板との間に第２羽根室を構成している補助地板と、前記第１羽根室内に配置されていて前記主地板に対して往復作動可能に取り付けられており前記主地板，中間板，補助地板のいずれかに形成された開口部によって規制されている露光開口に進退させられる少なくとも１枚の第１羽根と、前記第２羽根室内に配置されていて前記主地板に対して往復作動可能に取り付けられており前記露光開口に進退させられる少なくとも１枚の第２羽根と、を備えているようにしてもよい。
【００１３】
そして、それらの場合には、前記補助地板が、前記第１軸部の先端と対向する領域に、前記補助地板に設けられた前記孔を前記第２軸部に嵌合させたあとでも、前記第１軸部の先端を熱溶解させ鍔状にさせ得るようにするために、所定の大きさの欠損部を有しているようにすると、第１軸部と第２軸部の熱溶解による取り付け作業が連続して行え、作業の効率化を図ることが可能になり、また、前記主地板の前記羽根室側とは反対側に、前記主地板との間に前記各羽根のアクチュエータ室を構成する合成樹脂製の枠板が配置されていて、前記第１軸部と前記第２軸部とのうちの少なくとも一つの軸部が、該枠板に立設されていて前記主地板を貫通している軸部であるようにすると、アクチュエータの枠体も同じ加工工程で取り付けることが可能になる。更に、前記主地板は、その外周縁に、羽根室側の面から前記第２軸部の先端を熱溶解させて形成した鍔状部までの高さを少なくとも有している壁部を、環状に形成しているようにすると、防塵対策上も有利になる。
【発明の効果】
【００１４】
本発明のカメラ用羽根駆動装置は、補助地板のほかに口径板又は中間板を主地板に取り付けるようにしたカメラ用羽根駆動装置であるにもかかわらず、それらの３枚の板部材の組立状態におけるに厚さ寸法が、主地板と補助地板との２枚の板部材の重合部位の厚さ寸法で決まるようにしてあり、しかも、専用の取り付け部品を用いずにそれらの板部材の組み付けが行えるので、上記の厚さ寸法が高精度に得られると共に、低コストなカメラ用羽根駆動装置が得られる。
【発明を実施するための最良の形態】
【００１５】
本発明の実施の形態を、図示した実施例によって説明する。また、その実施例は、銀塩フィルムカメラにも、各種のデジタルカメラにも採用することのできるシャッタ装置として構成したものであるが、その作動については、デジタルカメラに採用された場合で説明することにする。尚、図１は、カメラに組み込まれたとき被写体側から見てシャッタ羽根の全開状態（初期状態）を示した実施例の正面図であり、図２は、図１の要部断面図である。また、図３は、図１の背面図であり、図４は、補助地板を取り付ける前の状態で示した図１の背面図である。
【実施例】
【００１６】
先ず、本実施例の構成から説明する。本実施例は、シャッタ装置だけを一つのユニットとして構成したものである。主地板１は、後述のアクチュエータやシャッタ羽根などを取り付けるために、複雑な形状や所定の剛性を要求されることから、合成樹脂材料で比較的厚く形成されている。そして、主地板１には、図１に示すように、円形をした撮影光路用の開口部１ａが形成されているが、この開口部１ａは、露光開口を規制するためのものではなく、カメラ内において被写体側に配置される撮影レンズの一部を受け入れ得るようにするために、露光開口よりも大きな直径をしている。この主地板１は、図１の正面側（カメラに組み込まれたときの被写体側）の上方位置に、平行的に形成され且つ対称的な形状をした二つの壁部１ｂ，１ｃを設けていて、それらの頂面には、各々位置決め用の孔１ｄ，１ｅが形成されている。
【００１７】
図１及び図２に示されている枠体２は、合成樹脂製であって、図１の背面側に設けた二つの位置決め用のピン２ａ，２ｂを上記の位置決め用の孔１ｄ，１ｅに嵌合させ、主地板１との間にアクチュエータ室を構成している。そして、この枠板２は、アクチュエータの構成部材を兼ねていて、円筒形に形成されたボビン部を有しており、その外周にはコイル３を巻回している。また、枠体２の表面には、二つの位置決め用のピン２ｃ，２ｄと引っ掛け部２ｅとが設けられており、フレキシブルプリント配線板４は、ランド形成部に設けた二つの孔４ａ，４ｂをそれらのピン２ｃ，２ｄに嵌合させ、配線部を引っ掛け部２ｅに掛けている。
【００１８】
更に、枠体２の被写体側の面には、二つの溝２ｆ，２ｇが形成されており、コイル３の両端が、それらの溝２ｆ，２ｇの中を這わされ、フレキシブルプリント配線板４の二つのランドに半田付けされている。そして、Ｕ字形をしたヨーク５は、二つの脚部の先端部を磁極部としており、それらの脚部の一方を、コイル３を巻回したボビン部の中空部に挿入している。尚、本実施例においては、枠体２がコイル３のボビンを兼用しているが、例えば、特開２００３−１８６０７９号公報に記載されている同種類の電流制御式のアクチュエータのように、別部材として構成してあっても構わない。
【００１９】
また、図１において、枠板２の背面側には二つの軸部２ｈ，２ｉが立設されている。そのうち、軸部２ｈには、円筒形の永久磁石を有している回転子６が回転可能に取り付けられている（図２では、その永久磁石だけを一点鎖線で示している）。そして、この回転子６は、特許文献１に記載の回転子と同様に、永久磁石と一体成形された合成樹脂製の腕部６ａを有していて、その先端に設けた駆動ピン６ｂを、主地板１に形成された明示されていない円弧状の長孔に挿入し、後述の羽根室内まで貫通させている。また、枠板２に立設されているもう一方の軸部２ｉは、主地板１に形成された明示されていない円形の孔に挿入され、その先端を後述の羽根室内まで貫通させている。
【００２０】
次に、主地板１の背面側（カメラ内に組み込まれたときの固体撮像素子側）の構成を説明する。図４に示すように、主地板１の背面側の四隅には、板面から所定の高さを有する台部１ｆ，１ｇ，１ｈ，１ｉが設けられていて、それらに、軸部１ｊ，１ｋ，１ｍ，１ｎが立設されている。また、主地板１の板面にも、三つの軸部１ｐ，１ｑ，１ｒが立設されているほか、二つのストッパ１ｓ，１ｔが設けられている。更に、主地板１の外周縁に沿って城壁のように壁部１ｕが設けられている。そして、背面側がこのような形状をしている主地板１の板面に、薄い金属製の口径板７が、密着して取り付けられている。
【００２１】
そこで、その口径板７の形状と、主地板１への取り付け方を説明する。この口径板７には、主地板１の開口部１ａよりも直径のかなり小さな開口部７ａが形成されていて、この開口部７ａが露光開口を規制するようになっている。それ故、主地板１の厚さが厚くても、開口部１ａの直径を大きくすることによって、撮影レンズが主地板１に接することなく、その一部を進入させることを可能にしている。また、口径板７には、円弧状の長孔７ｂが形成されている。明示されていないが、この長孔７ｂと略同じ形状をした長孔が、主地板１の重なる位置にも設けられており、図４に示されているように、上記のアクチュエータの駆動ピン６ｂが、それらの長孔を貫通して、固体撮像素子側に突き出ている。
【００２２】
また、口径板７には、二つの半月形をした孔７ｃ，７ｄと、四つの円形の孔７ｅ，７ｆ，７ｇ，７ｈが形成されている。そして、半月形の孔７ｃ，７ｄは、主地板１のストッパ１ｓ，１ｔに嵌合させられている。また、円形の孔７ｅは、主地板１の明示していない円形の孔を貫通して背面側に突き出されている枠板２の軸部２ｉに嵌合させられている。この軸部２ｉは、本来、図４において、その近傍位置に示されている軸部１ｊのように、円柱形をしていたものであるが、口径板７の孔７ｅを嵌合させた後、その先端を熱溶解され、鍔状に変形されている。従って、この変形によって、枠板２と口径板７とが、主地板１に対して固定されたことになり、コスト上は極めて有利なものとなっている。
【００２３】
また、この口径板７の二つの孔７ｆ，７ｇは、上記の主地板１の軸部１ｐ，１ｑに嵌合させられている。そして、それらの軸部１ｐ，１ｑも、孔７ｆ，７ｇを嵌合させた後、その先端を熱溶解され、鍔状に変形されている。このように、本実施例の場合は、口径板７が３箇所で主地板１に取り付けられており、そのうち１箇所は、枠板２と共に取り付けられている。しかしながら、口径板７の取り付けだけを考える場合は、枠板２の軸部２ｉに変わる軸部を主地板１の板面に別に立設すればよいことになる。また、口径板７だけを主地板１へ取り付けるのであれば、本実施例のように、３箇所とも軸部の先端を熱溶解させる必要はなく、１箇所だけであっても差し支えない。その場合、熱溶解させて取り付けた部位以外で、口径板７が主地板１から浮き上がらないようにするためには、後述の補助地板９に、口径板７側へ突き出た突き出し部を形成し、その突き出し部によって、その浮き上がりを押さ込むようにすればよい。
【００２４】
口径板７に形成されているもう一つの円形の孔７ｈは、主地板１の軸部１ｒに嵌合させられている。そして、その軸部１ｒには、口径板７を取り付けた後、シャッタ羽根８が回転可能に取り付けられている。そのため、図４において、口径板７の孔７ｂの形状は、シャッタ羽根８の孔８ａの形状と重なっている。また、シャッタ羽根８には、長孔８ｂが形成されており、そこに、アクチュエータの駆動ピン６ｂが嵌合している。
【００２５】
次に、口径板７との間に羽根室を構成している補助地板９の形状と、主地板１への取り付け方を主に図３を用いて説明する。この補助地板９には、直径が、主地板１の開口部１ａより小さくて、口径板７の開口部７ａよりも大きな撮影光路用の開口部９ａが形成されている。また、この補助地板９には、円弧状の長孔９ｂが形成されているが、この長孔９ｂは、上記した口径板７ｂや、明示していない主地板１の長孔と略同じ位置に略同じ形状に形成されていて、アクチュエータの駆動ピン６ｂの先端を挿入させている。
【００２６】
また、補助地板９には、二つの半月形をした孔９ｃ，９ｄと、五つの孔９ｅ，９ｆ，９ｇ，９ｈ，９ｉと、三つの欠損部９ｊ，９ｋ，９ｍとが形成されている。それらのうち、半月形の孔９ｃ，９ｄは、口径板７の孔７ｃ，７ｄと同様に、主地板１のストッパ１ｓ，１ｔに嵌合させられている。また、五つの孔９ｅ，９ｆ，９ｇ，９ｈ，９ｉは、孔９ｆだけが小判型をしていて、他の孔９ｅ，９ｇ，９ｈ，９ｉは円形をしているが、それらのうち、補助地板９の四隅に形成されている四つの孔９ｅ，９ｆ，９ｇ，９ｈは、上記の主地板１の台部１ｆ，１ｇ，１ｈ，１ｉに立設された軸部１ｊ，１ｋ，１ｍ，１ｎに嵌合させられている。そして、それらの軸部１ｊ，１ｋ，１ｍ，１ｎは、孔９ｅ，９ｆ，９ｇ，９ｈを嵌合させた後、それらの先端を熱溶解され、鍔状に変形させられることによって、補助地板９を取り付けている。
【００２７】
このように、本実施例の場合は、補助地板９が４箇所で主地板１に取り付けられており、いずれの取付部でも、軸部の先端を熱溶解させ鍔状に変形させている。しかしながら、取り付け箇所は、このように４箇所である必要は全くなく、３箇所でもよい場合があるし、２箇所でもよい場合がある。また、それらの取り付け箇所の全てにおいて、軸部の先端を鍔状に変形させる必要はなく、例えば２箇所で取り付ける場合には、一方の軸部は先端をフック形状にしておいて補助地板９の孔を引っ掛けるだけにし、そのようにしたあと、補助地板９のもう一方の孔を、主地板１のもう一方の軸部に嵌合させ、その先端を鍔状に変形させるようにすることも可能である。補助地板９に形成されているもう一つの円形の孔９ｉは、シャッタ羽根８を取り付けている主地板１の軸部１ｒに嵌合させられている。しかしながら、この孔９ｉの直径は、シャッタ羽根８の孔８ａよりも若干大きい。
【００２８】
このように、これまでの説明においては、軸部１ｐ，１ｑ，２ｉの先端を熱溶解させて口径板７を主地板１に固定し、その後、シャッタ羽根８を軸１ｒに取り付けておいてから、補助地板９の孔９ｅ，９ｆ，９ｇ，９ｈを軸部１ｊ，１ｋ，１ｍ，１ｎに嵌合させ、さらにその後、それらの軸部の先端を熱溶解させることによって、補助地板９を固定する場合で説明した。もし、そのような取り付け方だけをするのであれば、補助地板９に、欠損部９ｊ，９ｋ，９ｍを形成する必要は全くない。
【００２９】
従って、本発明は、補助地板９に、そのような欠損部９ｊ，９ｋ，９ｍを形成することを必ずしも必要としないが、本実施例の場合には、一層好適な取り付け方を行えるようにするために、欠損部９ｊ，９ｋ，９ｍを形成している。即ち、本実施例の場合には、先ず、口径板７の孔７ｅ，７ｆ，７ｇ，７ｈを軸部２ｉ，１ｐ，１ｑ，１ｒに嵌合させ、その後、シャッタ羽根８を軸１ｒに取り付けておいてから、補助地板９の孔９ｅ，９ｆ，９ｇ，９ｈ，９ｉを軸部１ｊ，１ｋ，１ｍ，１ｎ，１ｒに嵌合させ、最後に、軸部２ｉ，１ｐ，１ｑ，１ｊ，１ｋ，１ｍ，１ｎの先端を熱溶解させることによって、口径板７と補助地板９とを、主地板１に固定することが可能になっている。そのため、欠損部９ｊ，９ｋ，９ｍの形状は、本実施例のような周端縁から切り込んだ形状である必要はなく、孔形状であっても構わない。
【００３０】
また、本実施例の場合には、主地板１の外周縁に環状の壁部１ｕが形成されている。そして、図２から分かるように、この壁部１ｕは、主地板１の板面からの高さが、上記の鍔状部までの高さよりも高くなるように形成されている。言い換えれば、上記の鍔状部は、壁部１ｕの高さ内に収まるようにして形成されることになる。そのため、本実施例のシャッタ装置の場合には、アクチュエータの構成領域を除く光軸方向の厚さ寸法は、主地板１の被写体側の面から壁部１ｕの頂面までの寸法だけに依存するようになっている。そのため、特許文献２に記載の構成に比較して、上記の厚さ寸法が高精度に得られる。そして、このような壁部１ｕを設けることによって、羽根室内への塵埃等の進入も抑制することが可能になる。また、本実施例のように、主地板１に壁部１ｕを設けない場合であっても、光軸方向の厚さ寸法は、実質的には、主地板１の被写体側の面から台部１ｆ〜１ｉの受け面までの寸法と補助地板９の厚さ寸法とに依存するだけであるから、特許文献２に記載の構成よりは高精度に得ることが可能である。
【００３１】
次に、本実施例の作動を説明する。図４は、カメラの電源がオン状態になっているが、撮影が行われていない状態を示したものである。従って、この状態では、モニターによって、被写体像を観察することもできるし、撮影済みの画像も観察することができるようになっている。また、周知であるため、詳しい説明を省略するが、このとき、回転子６は、その永久磁石の磁極とヨーク５の磁極部の配置関係による磁気的吸引力によって、図４において時計方向へ回転するように付勢されている。そのため、駆動ピン６ｂには、シャッタ羽根８を時計方向へ回転させる力が働いているが、シャッタ羽根８がストッパ１ｓに接触していることによって、この停止状態が維持されている。
【００３２】
このような図４の状態においてレリーズボタンが押されると、露光制御回路からの信号によって固体撮像素子に蓄積されていた電荷が放出され、その後、あらたに撮影のための電荷の蓄積が開始される。そして、被写体の輝度に対応した所定の時間が経過すると、露光制御回路からの信号によって、コイル３に対して正方向の電流が供給され、回転子６は、反時計方向へ回転させられる。そのため、駆動ピン６ｂは、シャッタ羽根８を反時計方向へ回転させ、露光開口を規制している開口部７ａを閉じさせる。そして、シャッタ羽根８が開口部７ａを完全に閉鎖すると、その直後にシャッタ羽根８がストッパ１ｔに当接して停止させられる。
【００３３】
このようにしてシャッタ羽根８が停止すると、その直後に、固体撮像素子で光電変換された撮像情報が画像処理回路を介して記憶装置に転送される。そして、その転送が終了すると、コイル３に、先ほどとは逆方向へ電流が供給される。そのため、回転子６は、時計方向へ回転させられ、駆動ピン６ｂによって、シャッタ羽根８を時計方向へ回転させる。それによって、シャッタ羽根８は、開口部７ａを開いてゆき、完全に開放した後、ストッパ１ｓに当接して停止させられる。その後、コイル３への通電が断たれると、図３に示された状態に復帰したことになる。
【００３４】
このように、本実施例は、１枚のシャッタ羽根８を備えたシャッタ装置として構成したものであるが、上記したように、相反する方向へ作動する２枚のシャッタ羽根を備えたシャッタ装置とすることも可能である。また、本実施例のシャッタ羽根８を、開口部７ａよりも小さい直径の開口部を有する絞り羽根と交換することによって、絞り装置とすることも可能であるし、上記した各構成のフィルタ羽根と交換することによって、フィルタ装置とすることも可能である。
【００３５】
更に、本発明は、二つ以上の装置を一つのユニットとして構成した羽根駆動装置とすることもできる。その場合、シャッタ装置と絞り装置というように、異種の装置をユニット化することはもちろんのこと、同種の装置をユニット化したものでも構わない。例えば、異なる直径の開口部を形成した複数の絞り羽根を、各々のモータによって駆動することを可能にしたユニットとしてもよいし、異なる濃度のフィルタ板を取り付けた複数のフィルタ羽根を、各々のモータによって駆動することを可能にしたユニットとしてもよいし、特開２００３−１８６０７９号公報に記載されているように、一方のモータによって開き用のシャッタ羽根を駆動し、他方のモータによって閉じ用のシャッタ羽根を駆動するタイプのユニットとしてもよい。
【００３６】
そして、そのようなユニットとして構成する場合には、上記の主地板１に対して、撮影光路用の開口部を形成した中間板と、上記の補助地板９とを取り付け、主地板１と中間板との間に第１羽根室を構成し、中間板と補助地板９との間に第２羽根室を構成することになる。即ち、上記の口径板７を主地板１に密着させず、主地板１と間隔を空けて取り付け、主地板１と口径板７との間に、もう一つの羽根室を構成したのと同等な構成になる。従って、そのように構成する場合には、その中間板を、台部１ｆ〜１ｉと同じ高さの第１台部に立設した軸部で固定し、補助地板９を、台部１ｆ〜１ｉよりも高い第２台部に立設した軸部で固定すればよいことになる。そして、そのように構成した場合には、露光開口は、中間板に形成された撮影光路用の開口部によって規制されるとは限らず、主地板１の開口部１ａや補助地板９の開口部９ａによって規制し得るようにする場合がある。
【図面の簡単な説明】
【００３７】
【図１】シャッタ羽根の全開状態（初期状態）を示した実施例の正面図である。
【図２】図１の要部断面図である。
【図３】図１の背面図である。
【図４】補助地板を取り付ける前の状態で示した図１の背面図である。
【符号の説明】
【００３８】
１                              主地板
１ａ，７ａ，９ａ                開口部
１ｂ，１ｃ，１ｕ                壁部
１ｄ，１ｅ，４ａ，４ｂ，７ｃ〜７ｈ，８ａ，９ｃ〜９ｉ  孔
１ｆ，１ｇ，１ｈ，１ｉ          台部
１ｊ，１ｋ，１ｍ，１ｎ，１ｐ，１ｑ，１ｒ，２ｈ，２ｉ  軸部
１ｓ，１ｔ                      ストッパ
２                              枠板
２ａ〜２ｄ                      ピン
２ｅ                            引っ掛け部
２ｆ，２ｊ                      溝
３                              コイル
４                              フレキシブルプリント配線板
５                              ヨーク
６                              回転子
６ａ                            腕部
６ｂ                            駆動ピン
７                              口径板
７ｂ，８ｂ，９ｂ                長孔
８                              シャッタ羽根
９                              補助地板
９ｊ，９ｋ，９ｍ                欠損部
【図１】
2006072174.tif 000003
【図２】
2006072174.tif 000004
【図３】
2006072174.tif 000005
【図４】
2006072174.tif 000006